(57)【要約】【課題】  施術者が自分の体重を適切に利用して、指先を使わず、長時間でも疲れずに指圧可能な高機能で使い勝手の良い指圧具の提供。【解決手段】  指圧具１は、施術者の腕を載せて固定する腕載せ台２と、被指圧者に当接する圧接部９２を備えた指圧部材９と、一端に腕載せ台２を、他端に指圧部材９を配した指圧軸とで構成する。指圧軸は、上部指圧軸４１と下部指圧軸４２とその間の屈曲自在な回転ジョイント４３とで構成し、上部ブッシュ５１及び下部ブッシュ５２等を含む構造体で昇降自在に支持し、かつ規制軸６１の操作で回転ジョイント４３の部位で屈曲可能となり又は不能となるようにしてある。指圧軸の上昇は弱スプリング４５と強スプリング４４とにより弾力的に行われる。所定以上の荷重が加わると点灯するＬＥＤ８４が付設してある。腕載せ台２はヒンジ３の周りに起伏自在に構成されている。【選択図】  図１
2007014442.tif 000002
【特許請求の範囲】
【請求項１】
被指圧者の対象部位に圧接する指圧部材と、これを先端に、後端に後記腕載せ台を取り付けた指圧軸と、下部で該指圧軸に取り付け、施術者がいずれか一方の腕をその上に載せて前記指圧部材側に押圧するための腕載せ台であって、これに載せた腕を固定する固定手段を備えた腕載せ台とで構成した指圧具。
【請求項２】
前記指圧軸を、その下端の指圧部材に掛かる荷重に応じて腕載せ台側に後退自在に構成した請求項１の指圧具。
【請求項３】
前記指圧軸の後退量を測定する測定手段を備えた請求項２の指圧具。
【請求項４】
前記指圧軸の後退量が所定値を越えた場合に警報を発する警報手段を備えた請求項３の指圧具。
【請求項５】
前記指圧軸の途中に弾力屈曲手段と屈曲規制手段とを備えた請求項１、２、３又は４の指圧具。
【請求項６】
前記指圧部材を前記指圧軸の下端に着脱自在に取り付けた請求項１、２、３、４又は５の指圧具。
【請求項７】
前記指圧部材を、弾力性を有する圧接部とその上部中心から立ち上がる連結軸とで構成し、該連結軸で前記指圧軸の下端の連結手段に着脱自在に結合できるようにした請求項６の指圧具。
【請求項８】
前記指圧部材を、弾力性を有する圧接部と、その上部の中心からずれた位置から立ち上がる摺動軸と、該摺動軸を下方から回転及び昇降摺動自在に受け入れたシリンダ部材と、該シリンダ部材の上端中央から立ち上がる連結軸とで構成し、該連結軸で前記指圧軸の下端の連結手段に着脱自在に結合できるようにした請求項６の指圧具。
【請求項９】
前記腕載せ台を、前記指圧軸に対して、使用時は相互がＴ字状に結合し、非使用時には平行になるように、起伏自在に構成し、かつ前記Ｔ字状状態で固定可能なように構成した請求項１、２、３、４、５、６、７又は８の指圧具。
【発明の詳細な説明】
【技術分野】
【０００１】
本発明は、指先を使わずに指圧が可能な指圧具に関し、特に、施術者が自分の体重を利用して被指圧者に指圧することにより、疲労が比較的少なく長時間でも指圧が可能な指圧具に関するものである。
【背景技術】
【０００２】
指圧は主として直接人の掌や指先を利用して行われているが、長時間行うと指が疲れ、指の筋や関節等を痛めることもある。この問題を解消するため、これまで、様々な指圧具が提案されている。
【０００３】
例えば、特許文献１の指圧器は、把持可能に形成された基板部と、その主面の略中央に立設された把持可能な棒状部とを備えたものである。該基板部には、その主面の長さ方向における一方の端縁の両外側寄りの部位に各々長さ方向に突出し、先端が球面状を成す凸部が設けてある。該基板部には、他方の端縁の略中央にも、長さ方向に突出する球面状の凸部が設けてある。また前記棒状部は、該基板部の長さより長く、その先端寄りの部位が該基板部の一方の端縁に向って釣状に曲げられ、かつその先端が球面状に形成されているものである。
【０００４】
この特許文献１の指圧器は、前記基板部を把持して、被指圧者の対象部位を棒状部の先端で押したり、或いは該棒状部を把持して該基板部の各凸部で局所的に押すことにより指圧に利用するものである。
【０００５】
特許文献２の指圧具は、ペン型の指圧具本体の先端部に加熱手段を内装し、かつゲルマニウムによる押圧材を外装したものである。
【０００６】
この特許文献２の指圧具は、該指圧具本体をペンを掴むような要領で掴んで被指圧者の対象部位をその先端で押圧して指圧効果を得ようとするものである。このとき、先端部を加熱手段で加熱しておけば、通常のツボへの指圧効果に加え、局所加熱により血管が拡張し、非加熱部位との温度差を生じ、神経系統により大きな刺激を与え、筋肉をリラックスさせると共に、先端の押圧材から発生するゲルマニウムイオンが皮膚から浸透し、細胞の電子交換を活発にし、酸素の需要を高め、老廃物の排泄を促進させることができるとされているものである。
【０００７】
特許文献３の整体機は、台車上に立設された支柱に昇降体を係合し、この昇降体に上下揺動可能にスライド支持管を軸支し、このスライド支持管内を前後摺動可能に貫通して嵌められた押圧天秤棒の少なくとも一端に押圧球を取り付け、上記台車に設けられた重り装置からの重りの力が上記押圧球に付与されるように構成したものである。
【０００８】
この特許文献３の整体機は、整体用ベッドに横たわった患者の治療部位に押圧球を押し当てて使用する。この整体機は、前記のような構成であるため、身体の矯正すべき部位に強い押圧力を持続的に掛け続けることができ、かつその治療部位を自在に選定し得るばかりでなく、その力の量と方向性を容易に調整でき、かつ該押圧球により指圧の補助にも使用できるとされているものである。
【０００９】
特許文献１の指圧器は、被指圧者が自ら簡易な指圧を行ううえでも有効であるが、装置の簡単さ故にきめ細かな指圧を行うには課題がある。また特許文献２の指圧具は、それなりに有効であるかもしれないが、ここで課題とする疲労少なく長時間の指圧を行うという課題を達成できるものではない。更に特許文献３の整体機は、指圧の補助に使用可能ではあるが、整体が主目的のものであり、高度な指圧に使用するには無理がある。
【００１０】
【特許文献１】特開２００３―１０２８１号公報
【特許文献２】特開２００４―２０２２００号公報
【特許文献３】特開２００５―８０７９９号公報
【発明の開示】
【発明が解決しようとする課題】
【００１１】
本発明は、施術者が自分の体重を適切に利用することにより、指先を使わず、長時間でも疲れずに指圧可能な高機能で使い勝手の良い指圧具を提供することを解決の課題とするものである。
【課題を解決するための手段】
【００１２】
本発明の１は、被指圧者の対象部位に圧接する指圧部材と、これを先端に、後端に後記腕載せ台を取り付けた指圧軸と、下部で該指圧軸に取り付け、施術者がいずれか一方の腕をその上に載せて前記指圧部材側に押圧するための腕載せ台であって、これに載せた腕を固定する固定手段を備えた腕載せ台とで構成した指圧具である。
【００１３】
本発明の２は、本発明の１の指圧具に於いて、前記指圧軸を、その下端の指圧部材に掛かる荷重に応じて腕載せ台側に後退自在に構成したものである。
【００１４】
本発明の３は、本発明の２の指圧具に於いて、前記指圧軸の後退量を測定する測定手段を備えたものである。
【００１５】
本発明の４は、本発明の３の指圧具に於いて、前記指圧軸の後退量が所定値を越えた場合に警報を発する警報手段を備えたものである。
【００１６】
本発明の５は、本発明の１、２、３又は４の指圧具に於いて、前記指圧軸の途中に弾力屈曲手段と屈曲規制手段とを備えたものである。
【００１７】
本発明の６は、本発明の１、２、３、４又は５の指圧具に於いて、前記指圧部材を前記指圧軸の下端に着脱自在に取り付けたものである。
【００１８】
本発明の７は、本発明の６の指圧具に於いて、前記指圧部材を、弾力性を有する圧接部とその上部中心から立ち上がる連結軸とで構成し、該連結軸で前記指圧軸の下端の連結手段に着脱自在に結合できるようにしたものである。
【００１９】
本発明の８は、本発明の６の指圧具に於いて、前記指圧部材を、弾力性を有する圧接部と、その上部の中心からずれた位置から立ち上がる摺動軸と、該摺動軸を下方から回転及び昇降摺動自在に受け入れたシリンダ部材と、該シリンダ部材の上端中央から立ち上がる連結軸とで構成し、該連結軸で前記指圧軸の下端の連結手段に着脱自在に結合できるようにしたものである。
【００２０】
本発明の９は、本発明の１、２、３、４、５、６、７又は８の指圧具に於いて、前記腕載せ台を、前記指圧軸に対して、使用時は相互がＴ字状に結合し、非使用時には平行になるように、起伏自在に構成し、かつ前記Ｔ字状状態で固定可能なように構成したものである。
【発明の効果】
【００２１】
本発明の１指圧具によれば、施術者が自分の体重を利用し、これを適当な荷重に調節しながら腕を介して被指圧者に掛けることにより、指先を使わずに疲労を少なく長時間の指圧が可能となったものである。
【００２２】
本発明の２の指圧具によれば、被指圧者に掛かる衝撃や荷重が軽減可能であるため、指先で行うのと同様に被指圧者に指圧操作を行うことができる。
【００２３】
本発明の３の指圧具によれば、前記指圧軸の後退量から被指圧者に掛かる荷重を把握することが可能であり、施術者は被指圧者に対して掛ける荷重を容易に適切な範囲に調節することができることになる。
【００２４】
本発明の４の指圧具によれば、被指圧者に掛かる荷重が所定値を越えた場合に、これを確実に把握することができるため、無用に高い荷重を掛けて逆に健康を害するのを未然に防止することができる。
【００２５】
本発明の５の指圧具によれば、屈曲規制手段による規制を解除し、前記指圧軸の途中に配した弾力屈曲手段を利用可能にすると、該弾力屈曲手段の部位で弾力的に屈曲可能となり、被指圧者の対象部位の揉み解し動作等の多様な動作が可能になる。屈曲規制手段による規制を働かせれば、弾力屈曲手段の弾力屈曲動作は利用できなくなり、通常の指圧動作を問題なく行うことができるようになる。
【００２６】
本発明の６の指圧具によれば、前記指圧部材を前記指圧軸の下端に着脱自在に取り付けたものであるため、指圧対象部位によって、或いは被指圧者の体調等に合わせて、予め用意してある種々の態様の圧接部、例えば、種々の大きさの弾力球型のもの、ローラ型のもの、バイブレータ機能を持つもの、或いは軸心をずらして接続したもの等を備えた指圧部材の内から適当なそれを選択して使用し、より適切な指圧動作を行うことが可能となる。
【００２７】
本発明の７の指圧具によれば、指圧部材の連結軸が圧接部の上部中心から立ち上がるものであるため、これを用いた場合は、腕載せ台から指圧軸、そして連結軸に伝えられた力はその軸心から外れることなく圧接部に伝えられ、指圧対象部位にストレートに加えられることになる。即ち、指圧対象部位に対して、施術者の意図した通りの方向に容易かつ正確に圧力を加えることができる。
【００２８】
本発明の８の指圧具によれば、前記圧接部の上部の中心からずれた位置に摺動軸を立ち上げ、該摺動軸を回転及び昇降摺動自在に受け入れるシリンダ部材を介して前記指圧軸の下端に接続するようにしたものであるため、これを用いた場合は、前記腕載せ台から該指圧軸及び該シリンダ部材を介して該摺動軸に伝えられた力は、圧接部の上部の軸心から外れた位置に伝えられることになる。
【００２９】
指圧動作の場合には、オフセット量（中心からのズレ量）を極端に大きく取ってなければ、これでも殆ど支障なく指圧対象部位に垂直に圧力を加えることが可能であるが、指圧部位を一定の指圧対象部位から他の部位に移動する際に、指圧具を僅かに引き上げてその動作を行おうとすると、該圧接部がシリンダ部材中でその分だけ摺動降下し、その下面が皮膚上又は肌着上に接触した状態でスライド移動することとなる。このとき、該圧接部は摺動軸がその中心軸からずれた位置に立ち上げてあるため、回転しながら移動することとなり、肌や肌着に捩るような無理な力を加えることなく、スムーズに移動することが可能になる。
【００３０】
本発明の９の指圧具によれば、これを使用する際には、腕載せ台を指圧軸に対して直角の向きに固定することが可能であり、不都合なく使用できる一方で、不使用時には、指圧軸と平行な向きに寝かせることにより、コンパクトに折畳んで、幅の狭い保管スペースに保管可能となる。
【発明を実施するための最良の形態】
【００３１】
本発明の指圧具は、基本的に、被指圧者の対象部位に圧接する指圧部材と、該指圧部材を先端に、後端に腕載せ台を取り付けた指圧軸と、下部で該指圧軸に取り付け、施術者がいずれか一方の腕をその上に載せて前記指圧部材側に押圧するための腕載せ台とで構成したものである。なお該腕載せ台は、これに載せた腕を固定する固定手段を備えたものである。
【００３２】
このような本発明の指圧具は、前記指圧部材を被指圧者の指圧対象部位に直接又は間接に当接させ、前記腕載せ台にいずれかの腕を載せ、かつ固定手段で固定した上で、施術者が自分の体重を利用して適切な荷重に調整しながら該指圧部材を該指圧対象部位に押し付け、指圧操作を行うものである。
【００３３】
前記腕載せ台は、概ね長方形板状を基本とする構成のものであるが、必要な強度を確保すると共に、触れても違和感がなく、しかも軽量な部材で構成するのが好ましい。例えば、薄い鉄板の上に木製の板を貼った細長い基板等で構成することができる。その幅と長さは標準的な施術者の前腕部のサイズに適合する寸法、例えば、幅５〜１０ｃｍ、長さ４０ｃｍ程度に構成することができる。勿論、この腕載せ台の幅や長さは施術者の体格に応じて調整可能なことが望ましい。
【００３４】
該腕載せ台は、使い勝手の点から、その上面の凹凸等を接触する前腕部の形状に合せたり、表面にクッション材を配しておくことが望ましく、更にそれぞれ該当端部にはグリップや肘を保護する部材等を取り付けておくのが好ましい。要所に段差や突起を設けても良い。勿論、該腕載せ台の長さや幅及び段差や突起の位置等も調整可能にしておくことが望ましい。
【００３５】
また前記腕の固定手段は、前記腕載せ台に載せた腕を確実に固定できる手段であれば、特定のそれに限定されない。例えば、該腕載せ台の中央側部付近に面ファスナ付きのベルトを固設しておき、これで該腕載せ台に載せた腕を巻き付け固定するように構成することができる。
【００３６】
前記指圧軸は、長さは特に限定する必要はないが、２０〜３０ｃｍ程度とし、前記腕載せ台と指圧部材とをそれぞれ所定の位置関係に保つだけでなく、以下のような付加機能をも担うことにより、機能向上を図ることができる。
【００３７】
前記指圧軸は、これを前記腕載せ台側から見て後退自在に構成するのが適当である。この場合は、その後退を弾力的に規制すべく、例えば、該指圧軸に沿って外装状態にコイルバネ等の弾性材を配することにより、被指圧者の指圧対象部位に掛かる荷重及び該指圧軸の後退量に応じた反発力を発生させ、該指圧軸を、前記腕載せ台側に荷重に応じて後退自在に構成するものである。
【００３８】
また該指圧軸には該指圧軸の後退量を測定する測定手段を備えるのが適当である。該測定手段は、該指圧軸の後退量を測定できるものであれば特定の構成に限定されない。該指圧軸の後退量は、被指圧者の指圧対象部位に掛かる荷重と一定の対応関係があり、該指圧軸の後退量を測定することにより、該荷重を求めることができる。施術者は、該測定手段による測定値を見ながら、指圧対象部位及び被指圧者に適切な押圧荷重で指圧操作を行うことができるものである。該測定手段としては、最も簡単な構成は、例えば、該支持軸の長さ方向に沿ってその一部に記した目盛りと、その目盛りを指示する指針とで構成することができる。
【００３９】
更に指圧軸の後退量が所定値を越えた場合に警報を発する警報手段を設けておくのがより好ましい。これも種々の構成を自由に採用することができるが、例えば、指圧軸に沿った適当な部位に配したリミットスイッチ等のスイッチと、指圧軸に適切な位置に配した突起部材等と、該スイッチによってオンオフ駆動されるブザー、点滅発光手段又は単なる発光手段等とで構成することができる。該指圧軸が指圧操作の際に所定量だけ後退すれば、該突起部材が該スイッチの作動腕等に圧接してこれを閉じ、前記ブザー又は点滅発光手段を駆動し、施術者に荷重が限界に達したことを報知することができる。警報の出力形式としては、被指圧者を驚かせたりしないために、ブザーよりは音を発しない点滅発光手段等の方が好ましい。
【００４０】
なお前記スイッチは、例えば、可動側の接点を該指圧軸に、これと摺動し得る位置に固定側の接点を配した構成とすることもできる。このような構成の場合は、これらの接点相互が円滑に摺動可能なように相互の弾性等も配慮しておく。また警報を発する荷重や後退量の基準値を調整可能なように、接点の位置は、被指圧者の事情に応じて調整できるようにしておくのが望ましい。また前記発光手段は、ＬＥＤ等の固体発光素子を使用するのが適当である。これを点滅点灯させる場合は、発振回路を用意し、前記スイッチで該発振回路をオンオフ駆動し、その出力で直接に、或いは増幅してＬＥＤを点滅点灯させる。このように発光手段として、ＬＥＤを用いた場合は、その必要な電力は小さいので、電源としては小型のリチウム電池等を採用することができる。
【００４１】
前記指圧軸は、その途中に弾力屈曲手段と屈曲規制手段とを備えた構成、即ち、該指圧軸は、簡単な操作で、弾力屈曲可能な状態と、屈曲規制手段で規制された剛体の状態とを切替自在に構成するのが好ましい。剛体状態で通常指圧を行い、弾力屈曲状態とすることにより、揉み解し等を行えるようにする趣旨である。
【００４２】
弾力屈曲手段は、以上のような趣旨の動作を実現可能であれば、特定の構成に限定されない。例えば、指圧軸を上部指圧軸と下部指圧軸との二つで構成し、前者の下端と後者の上端とを弾力的に屈曲し得るチューブで外装しつつ接続して構成することができる。該チューブの上部指圧軸と下部指圧軸との間の部分で弾力的に屈曲することが出来ることとなる。この場合は、屈曲規制手段は、該チューブの部分を外装する剛性パイプで構成することができる。該剛性パイプを指圧軸の長さ方向にスライド自在に配しておき、これを上部指圧軸と下部指圧軸との間の部分でからずらすことにより、該指圧軸を屈曲可能にし、その部分の上に被覆状態とすることにより、屈曲不能とすべく作用するものである。
【００４３】
或いは、該弾力屈曲手段は、上部指圧軸の下端と下部指圧軸の上端とをユニバーサルジョイントを介して結合し、この部位に弾力性を有する部材で外装する等により弾力性を付与して構成する。この場合も屈曲規制手段は、該ユニバーサルジョイント及びその両側を外装する剛性パイプ等で構成することができる。これを既述のものと同様に指圧軸に沿って動かすことにより、ユニバーサルジョイントによる屈曲を可能とし、或いは不可能にする訳である。屈曲規制手段は、これ以外に規制棒を該指圧棒に沿って配しておき、これを上部指圧軸と下部指圧軸とに直接又は間接に結合可能としておき、両者に結合することにより、指圧軸を屈曲不能とし、いずれか一方から離脱させることにより、屈曲可能とするように作用させる構成とすることもできる。
【００４４】
なお、該指圧軸の外周には、保護や外観の向上ため、柔軟な素材で筒状のカバーを配設しておくのが好ましい。
【００４５】
前記指圧部材は、前記指圧軸の下端に着脱自在に取り付けることとし、種々の態様のそれと取り替えて取り付けることができるようにするのが好ましい。
【００４６】
前記指圧部材は、弾力性を有する圧接部とその上部中心から立ち上がる連結軸とで構成し、該連結軸で前記指圧軸の下端の連結手段に着脱自在に結合できるようにすることができる。或いは、前記指圧部材は、弾力性を有する圧接部と、その上部の中心からずれた位置から立ち上がる摺動軸と、該摺動軸を下方から回転及び昇降摺動自在に受け入れたシリンダ部材と、該シリンダ部材の上端中央から立ち上がる連結軸とで構成し、該連結軸で前記指圧軸の下端の連結手段に着脱自在に結合するようにすることができる。前記指圧部材は更に目的に応じた種々の構成を自由に採用することができる。
【００４７】
前記圧接部には、ゴムやソフトプラスティック等、適度な弾性や柔軟性を備えた素材を使用するのが適当である。
【００４８】
更に前記腕載せ台は、これを、前記指圧軸に対して、使用時は相互がＴ字状に結合し、非使用時には平行になるように、起伏自在に構成し、かつ前記Ｔ字状状態で固定可能なように構成するのが好ましい。これは、例えば、該腕載せ台の下部の適当な部位をヒンジを介して該指圧軸の上端と結合させることによって構成することができる。Ｔ字状状態の固定は、フック等を利用することにより、或いは結合ピン等を利用することによって容易に行うことができる。
【００４９】
従って本発明の指圧具によれば、以下のように有効に使用することができる。
【００５０】
腕載せ台が指圧軸に起伏自在に構成してあり、その腕載せ台が該指圧軸と平行になった非使用状態になっている場合には、当然に、該腕載せ台を起立回動して、該指圧具を該指圧軸とＴ字型に直交する使用状態にし、その状態を固定する。更に予め該腕載せ台の幅や長さ等も調整可能に構成してある場合はこれらを調整しておく。また指圧軸の下端には、指圧部材を着脱自在に取り付けるように構成してある場合は、この後行う指圧操作に適合する指圧部材を選択して取り付けておく。
【００５１】
該腕載せ台への前腕部の載置固定は、まず施術者のいずれか使用する方の腕の前腕部を、先端部にグリップが構成してある場合はこれを掴み、かつ肘を、肘固定保護具が構成してある場合はこれに当接させ、更に前腕部の側面を腕載せ台の対応する部位に載せた上で、固定手段で固定する。固定手段として、前記のように、面ファスナ付きのベルトを採用した場合は、これを上記のように腕載せ台に載置した腕に巻き付け、適度に締付けた上で面ファスナを貼り合わせ、その締め付け状態を保持する。以上で、指圧操作の準備は完了である。
【００５２】
指圧操作は、指圧部材を被指圧者に指圧対象部位に接触させ、腕載せ台に適度に体重を掛けて、通常の指圧操作や揉み解しを行う。指圧操作は、前記弾力屈曲手段を構成してある場合も、当然、これを働かせずに行う。即ち、指圧軸の直線状態を保持して、指圧対象部位に垂直に圧力を加える。揉み解しは、前記弾力屈曲手段を利用して行うのが適当である。この場合は、前記屈曲規制手段を操作して、該弾力屈曲手段が作用し得るように規制を解除する。こうして対象部位に指圧部材を当接させて加圧すると、加圧の方向の微妙な加減で指圧軸は該当部位で所望方向に自在に屈曲し得、有効な揉み解し操作を行うことができる。
【００５３】
なお、前記指圧軸を、その下端の指圧部材に掛かる荷重に応じて後退するように構成した場合には、以上のような指圧操作及び揉み解し操作の際に、該指圧部材は、被指圧者の対象部位に対して弾力的に圧接することとなり、該対象部位に、急激な荷重を掛ける危険性を回避することができる。
【００５４】
また上記のような指圧軸の後退量を測定する測定手段を設けてある場合は、指圧又は揉み解し操作中に、これを通じて被指圧者の対象部位に掛かる荷重が把握し得ることとなり、該対象部位への無用な高荷重を掛けて健康を害する虞をなくすることができる。前記指圧軸の後退量が所定値を越えた場合に警報を発する警報手段を備えている場合には、より一層確実に対象部位に無用の高荷重を掛けてしまう虞を回避することができる。
【００５５】
前記のように、前記指圧部材を前記指圧軸の下端に着脱自在に取り付るものとした場合には、指圧対象部位の位置によって、或いは被指圧者の体調等に合わせて、予め用意してある種々の態様の圧接部を備えた指圧部材の内から適当なそれを選択して使用し、より適切な指圧動作を行うことが可能となる。
【００５６】
前記指圧部材として、その連結軸が圧接部の上部中心から立ち上がるように構成したものを採用した場合は、前記した通常の指圧操作に好適となる。即ち、腕載せ台から指圧軸、そして連結軸に伝えられた力はその軸心から外れることなく圧接部に伝えられ、指圧対象部位に容易かつ確実に垂直に加えられることになる。
【００５７】
また指圧部材として、前記圧接部の上部の中心からずれた位置に摺動軸を立ち上げ、該摺動軸を回転及び昇降摺動自在に受け入れるシリンダ部材を介して前記指圧軸の下端に接続するようにした場合は、指圧操作を一定の指圧対象部位で行った後、他の部位に移動する際に非常にスムーズにそれが可能となる。即ち、指圧具を僅かに引き上げて移動使用とすると、該圧接部がシリンダ部材中でその分だけ摺動降下し、その下面が皮膚上又は肌着上に接触した状態でスライド移動する。このとき、該圧接部は摺動軸がその中心軸からずれた位置に立ち上げてあるため、回転しながら移動することとなり、肌や肌着に捩るような強い無理な力を加えることなく、スムーズに移動することが可能になる。
【００５８】
前記のように、腕載せ台を指圧軸に起伏自在に取り付けた場合は、不使用時には、該腕載せ台を指圧軸と平行な向きに寝かせることにより、コンパクトに折畳んで、幅の狭い保管スペースに保管可能となる。
【００５９】
以上のように、本発明の指圧具によれば、施術者が、適宜、自分の体重を被指圧者に掛けることにより、指先を使わず、長時間でも比較的疲労を少なくして、しかも高度な指圧が可能となる。
【実施例】
【００６０】
この実施例の指圧具１は、図１、図３、図５、図６及び図８に示すように、被指圧者の指圧対象部位Ｓに直接又は下着等を介して間接に接触する部位である圧接部９１、１０１を備えた指圧部材９、１０と、これを上端に取り付けた指圧軸と、該指圧軸の他端に取り付けられ、施術者がいずれか一方の腕（この実施例では右腕）を載せて押圧するための腕載せ台２とを基本的な要素として構成したもので、使用時には正面（側面）から見てＴ字状をなす。
【００６１】
前記腕載せ台２は、その幅と長さは標準的な体格の施術者の前腕部Ａに対応する寸法に構成し、かつその上に載せた施術者の前腕部Ａを容易に固定し得るように構成している。この実施例の指圧具１は、図７に示すように、前記圧接部９１、１０１を被指圧者の指圧対象部位Ｓに接触させ、前記腕載せ台２に施術者が自分の体重を適度に掛けながら使用するものである。
【００６２】
前記腕載せ台２は、図１に概略を示すように、保持用の鉄板の上に木製の板を貼った細長い基板２０を用いることにより、強度を確保すると共に、触れても違和感がなく、しかも軽量に構成している。幅と長さは、標準的な体格の施術者の前腕部Ａを前提に決定し、前記幅を１０ｃｍに、前記長さを４０ｃｍに構成している。該腕載せ台２の一端にはその長さ方向と直交する向きに握り板２１を構成し、他端には肘固定保護具２５を構成する。前記握り板２１は、図２に示すように、該腕載せ台２に右腕前腕部Ａを載せた状態で、人差し指及び親指が位置する側に突出部２１ａを設け、該右腕の手で握り易くしている。
【００６３】
図１に示すように、該腕載せ台２の表面には、該握り板２１及び肘固定保護具２５の外の部位にも要所にクッション材２ａを外装被覆している。
【００６４】
前記肘固定保護具２５は、該腕載せ台２に載せた前腕部Ａが、その長さ方向にずれたりしないように、肘を固定するもので、その上にストッパ状態に配されている。これは、施術者の肘、或いは身体の他の部位に触れるなどしても支障がないように、その表面に前記しクッション材２ａを配して被覆している。
【００６５】
図１及び図２に示すように、該腕載せ台２に前腕部Ａを載せた場合に、その手首が載る部位には手首台２２を設けて下から支えることにより、手首に掛る負担を軽減している。また施術者が前腕部Ａを持上げても、該腕載せ台２が前腕部Ａから離れないように、該腕載せ台２の中央両側に面ファスナ２４ａを備えたベルト２４を配し、これで該腕載せ台２に載せた前腕部Ａを巻き付け固定できるようにしている。該ベルト２４は、図１及び図２に示すように、該腕載せ台２の中央両側に対向状態に配したＬ字型部材２３、２３の各々に取り付けてある。また該各Ｌ字型部材２３、２３は、ボルト・ナットで基板２０に取り付けられており、かつ基板２０及びＬ字型部材２３、２３の取付用のボルト孔は、該基板２０の幅方向に長い長孔に構成されているため、使用する施術者の前腕部Ａの腕幅に合せて、両者の間隔を調整することができるようになっている。
【００６６】
前記指圧軸は、Ｔ字の縦軸に当たる部位であり、前記腕載せ台２と指圧部材９、１０を所定の位置関係に保持するとともに、機能向上のため、若干の付加機能も担っている。
【００６７】
図１に示すように、該指圧軸を構成する直列に配された下部指圧軸４２と上部指圧軸４１とを、それぞれ下部ブッシュ５２と上部ブッシュ５１に所定の範囲内で昇降自在に貫通させ、弱スプリング４５を該下部指圧軸４２に外装状態で上側の下部ブッシュ５２と下側の取付部材４８との間に介在させ、かつ強スプリング４４を前記上部指圧軸４１に外装状態で前記下部ブッシュ５２と前記上部ブッシュ５１との間に介在させる。
【００６８】
これによって該指圧軸を、前記取付部材４８及び前記指圧部材９、１０と共に、これらに掛かる荷重に応じて後退自在（前記腕載せ台２側に移動自在）としている。
【００６９】
前記弱スプリング４５は弾性の弱い圧縮コイルバネで主に衝撃緩衝の役割を担い、前記強スプリング４４は弾性の強い圧縮コイルバネで主に指圧の際の過度な荷重防止の役割を担っている。なお前記下部指圧軸４２と下部ブッシュ５２並びに上部指圧軸４１と上部ブッシュ５１との嵌合状態を、各々前者が後者の中を円滑に昇降可能となるように、スプライン軸構造を採用した。
【００７０】
また、図３及び図８に示すように、前記取付部材４８には指針４２ａが立ち上げてあり、かつこれに対し相対的に前進する前記下部ブッシュ５２を外装支持するブッシュ支持体５２ｂの外周にその後退量を示す目盛５２ｃが表示してあり、前記指針４２ａの先端の示す値から前記した後退量や荷重を読取ることができるようになっている。
【００７１】
図１及び図４(b)に示すように、可動接点８３を、前記指圧軸の一部、即ち、前記下部指圧軸４２と後記回転ジョイント（弾力屈曲手段）４３を介して連結する前記上部指圧軸４１の途中に側方に突出する態様で取り付ける。また固定接点８２を対応する隣接位置に位置する後記固定軸６、６…の１つの、該可動接点８３より、上方、即ち、前記腕載せ台２側寄りの部位に取り付ける。
【００７２】
こうして前記被指圧者の指圧対象部位Ｓに前記圧接部９１、１０１を当接させて指圧操作をした際に、その部位に掛かる荷重が許容値を越え、これに伴って該圧接部９１、１０１を備えた指圧部材９、１０及び指圧軸（上部指圧軸４１及び下部指圧軸４２）等の後退量が許容値を越えた場合には、前記可動接点８３が上昇して前記固定接点８２に接触し後記警報回路が閉じて後記ＬＥＤ８４を点灯させ、被指圧者に過度の荷重が掛かったことが検知できる。
【００７３】
前記ＬＥＤは、この実施例では、図１及び図８に示すように、前記固定軸６、６…の下端を固定するディスク５３の上面上に配し、この指圧具１を操作する施術者が上方から容易に見えるように位置決めしておくものとする。また前記警報回路は、該ＬＥＤ８４と電源である後記リチウム電池８１とを接続する回路であり、前記可動接点８３と前記固定接点８２とは、この回路を開閉する接点としてこの回路中に挿入したものである。該リチウム電池８１は、図１及び図８に示すように、前記腕載せ台２の基板２の裏面側に形成した窪みに挿脱自在に挿入配置してある。
【００７４】
前記可動接点８３及び前記固定接点８２は、前者は上部指圧軸４１の雄ねじ部に螺合した二つのナットで挟持状態にして固定したものであり、後者は前記固定軸６の雄ねじに螺合した二つのナットで、同様に挟持状態にして固定したものである。それ故、該可動接点８３及び該固定接点８２はそれぞれ上記ナットを緩めて挟持位置を昇降させることが可能である。従って該可動接点８３及び該固定接点８２は、いずれもその取付位置を昇降調整可能であり、必要に応じて、警報を出力する荷重の基準値を調整することができる。
【００７５】
図１に示すように、前記弱スプリング４５の両端が当接する上側の下部ブッシュ５２の下面中央と下側の取付部材４８の上面中央には、それぞれ消音ラバー４６を配設し、指圧操作の際に発生することのある該弱スプリング４５の耳障りなの金属音を抑制している。また、同図に示すように、前記強スプリング４４には柔軟性を備えたゴム管５４を外装し、指圧操作の際に発生することのある該強スプリング４４の金属音を抑制している。
【００７６】
図１に示すように、前記上部指圧軸４１には、これに外装した強スプリング４４及び更にこれに外装したゴム管５４を介して塩化ビニル製の筒５を外装する。該塩化ビニル製の筒５は上記ゴム管５には殆ど密接状態に外装する。また該塩化ビニル製の筒５は、その下端には周方向に延長したディスク５３を固定し、上端には前記上部ブッシュ５１の上鍔部の下面に固定する。
【００７７】
図１に示すように、前記下部指圧軸４２は前記下部ブッシュ５２を貫通して垂下するものであり、該下部指圧軸４２と前記上部指圧軸４１の間に配された回転ジョイント４３は、指圧操作の際に若干上昇動作するが、その中心の屈曲部は常に前記ディスク５３と該下部ブッシュ５２との間に位置することとなっている。そして上記回転ジョイント４３の屈曲部は、後述するように、後記上蓋７０、前記上部ブッシュ５１の上面に固設したブッシュ支持鍔５１ａ及び前記ディスク５３の各周側近傍に開口した貫通孔に昇降自在に配された規制軸（屈曲規制手段）６１の昇降いずれかの状態で、その自在な屈曲が許容されるようになり、或いは屈曲が許容されないようになる。
【００７８】
図１及び図５(a)に示すように、前記下部ブッシュ５２にはブッシュ支持体５２ｂが外装してあり、その周鍔部の周側近傍に係止孔５２ａが開口してある。前記規制軸６１は、通常降下した状態となっており、その場合は、図１及び図５(b)、(c)に示すように、その下端が該ブッシュ支持体５２ｂの周鍔部の係止孔５２ａに嵌合した状態となる。この状態では、該規制軸６１を介して、前記上蓋７０、ブッシュ支持鍔５１ａ、上部ブッシュ５１及び前記ディスク５３と下部ブッシュ５２が直列に並んだ状態に固定され、前記回転ジョイント４３の屈曲部に於ける屈曲が許容されなくなる。他方、前記規制軸６１を、図５(b)、(c)に示すように、引き上げると、該下部ブッシュ５２と、該ディスク５３以上の部材との直列に並んだ状態の保持が解かれ、前記回転ジョイント４３の屈曲部に於ける屈曲が許容されることになる。
【００７９】
該規制軸６１の上端には操作棒６２が横向きに取り付けてあり、図８に示すように、これを引き上げた際に回動させて、近接する固定軸６に配してある棒受台６０に載せてその状態を維持できるようになっている。なお該規制棒６１の下降状態は、その自重で保持される。
【００８０】
なお、前記固定軸６、６…は、前記上蓋７０、前記上部ブッシュ５１の上面に固設したブッシュ支持鍔５１ａ及び前記ディスク５３を、図１、図４(a)、(b)、図５(a)、(b)、(c)及び図８に示し、かつ前記したような相互関係に連結し、更に、それらの各上端を後記ヒンジ３の下部ヒンジ片３１の裏面側に固設し、該ヒンジ３を介して指圧軸以下の部材を前記腕載せ台２に連結するものである。
【００８１】
また前記下部ブッシュ５２は、図１及び図４(c)に示すように、前記ゴム管５４を介して前記ディスク５３以上の構成要素と結合している。該ゴム管５４の下端は直接にはブッシュ支持体５２ｂの内周に固設し、これを介してこれに固設されている下部ブッシュ５２に連結しているものである。
【００８２】
なお該固定軸６、６…は、平面から見て定角度間隔、即ち、９０度の角度間隔で配して前記ブッシュ支持鍔５１ａ等を確実に固定したものである。
なおまた前記上蓋７０から下部ブッシュ５２のブッシュ支持体５２ｂまでの間には、図１、図３(a)、(b)及び図４(a)、(b)、(c)に示すように、該上蓋７０、前記ブッシュ支持鍔５１ａ、前記ディスク５３及び該ブッシュ支持体５２ｂの周鍔部のそれぞれの外周にその内周を固設しつつ化粧筒７を外装する。この化粧筒７は、柔軟性を有し、前記回転ジョイント４３の部位で屈曲される場合にもこれを妨げず、かつ前記ＬＥＤ８４の点灯又は消灯が外部から認識可能であるように、該当する部位に開口部を備えたものとする。
【００８３】
また図１及び図４(a)に示すように、前記上部指圧軸４１の上端部には、フック型の回転ストッパ４７が取り付けてあり、これを、前記上蓋７０の対応する部位に開口してある回り止め孔７０ａに嵌合させ、該上部指圧軸４１の回転を防止するようになっている。これによって安定した操作を可能にしている。
【００８４】
前記指圧部材９は、図１に示すように、下向きにほぼ半球状に膨らんだ圧接部９１とその上部中央から立ち上げた連結軸９３とで構成したものであり、該連結軸９３を、前記下部指圧軸４２の下端部に配設した取付部材４８に下方から挿脱自在に挿入し、側方からねじ込んだ蝶ネジ４９で締め付けて固定するものである。
【００８５】
なお該連結軸９３は、図１に示すように、その下部周側に雄ねじが形成されており、これを前記圧接部９１の内部に配した芯材９２にねじ込み固定してある。また前記圧接部９１は適度な弾性と柔軟性を備えたプラスチックで成形したものである。
【００８６】
また該連結軸９３の上部周側には、図１に示すように、該蝶ネジ４９と係合するための溝９ａが形成してあり、該連結軸９３を該取付部材４８に適切な深さまで挿入してから該蝶ネジ４９を締め付けると、これにより該溝９ａに該蝶ネジ４９の先端が係合し、該連結軸９３及びこれを立設した前記圧接部９１は該取付部材４８に確実に固定されることになる。
【００８７】
前記取付部材４８には、図１に示すように、先端に配したボールとこれを中心側に押し付けるスプリングとからなる締付部材４８ａが外周から中心に向かって配設されており、前記連結軸９３を、以上のように、下方から該取付部材４８に挿入した際に、該連結軸９３を仮固定し、前記のように蝶ネジ４９で締付けるまでの間、これが抜け落ちないように仮保持する。またその後の蝶ネジ４９による固定保持状態を補助する。
【００８８】
またもう一つのタイプの指圧部材１０は、図６(a)、(b)、(c)に示すように、球状の圧接部１０１と、その上部の中心からずれた位置から立ち上がる摺動軸１０５と、該摺動軸１０５を下方から回転及び昇降摺動自在に受け入れたシリンダ部材１０４と、該シリンダ部材１０４の上端中央から立ち上がる連結軸１０３とで構成したものであり、該連結軸１０３を、前記下部指圧軸４２の下端部に配設した取付部材４８に下方から挿脱自在に挿入し、側方からねじ込んだ蝶ネジ４９で締め付けて固定するものである。
【００８９】
前記連結軸１０３は、図６(a)、(b)、(c)に示すように、その下端周側に形成した雄ねじ部を前記シリンダ部材１０４の上端中央に形成してある雌ねじ部に螺合固定してあり、かつ前記摺動軸１０５は、その頭部であるピストン部が前記シリンダ部材１０４中に回転及び昇降摺動自在に挿入されている。該摺動軸１０５は、前記のように、前記圧接部１０１の上部の軸心からずれた位置から立ち上がるが、その下端は、その外周に形成した雄ねじ部を、該圧接部１０１内に配設した芯材１０２に螺合することで固定してある。また該圧接部９１は適度な弾性と柔軟性を備えたプラスチックで成形したものである。
【００９０】
前記連結軸１０３の上部周側には、図６(a)、(b)、(c)に示すように、前記蝶ネジ４９と係合するための溝１０ａが形成してあり、該連結軸１０３を前記取付部材４８に適切な深さまで挿入してから該蝶ネジ４９を締め付けると、これにより該溝１０ａに該蝶ネジ４９の先端が係合し、該連結軸１０３、これを立設したシリンダ部材１０４及び該シリンダ部材１０４に回転及び昇降自在に結合した圧接部１０１が該取付部材４８に確実に結合されることになる。
【００９１】
なお前記取付部材４８には、前記し、かつ図１に示すように、先端に配したボールとこれを中心側に押し付けるスプリングとからなる締付部材４８ａが外周から中心に向かって配設されており、前記連結軸１０３を、以上のように、下方から該取付部材４８に挿入した際に、該連結軸１０３を仮固定し、前記のように蝶ネジ４９で締付けるまでの間、これが抜け落ちないように仮保持するようになっている。またその後の蝶ネジ４９による固定保持状態を補助する。
【００９２】
前記腕載せ台２は、前記し、図１に示すように、前記ヒンジ３を介して、前記指圧軸の上端に起伏自在に結合してあるものである。詳細には、該腕載せ台２は、該ヒンジ３に、前者の基板２０の裏面中央部に後者の上部ヒンジ片３１をボルト・ナットで固設することにより結合し、前記指圧軸は、その上部指圧軸４１及び下部指圧軸４２を支持する構造体を介して該ヒンジ３の下部ヒンジ片３２に結合する。上記構造体は、先に述べ、かつ図１に示してあるように、上部ブッシュ５１、ブッシュ支持鍔５１ａ、固定軸６、６…、ディスク５３及び上蓋７０等によって構成されるものであり、前記下部ヒンジ片３２は、最上部の上蓋７０から突出した固定軸６、６…の上端のボルト部に結合したものである。
【００９３】
なお、前記下部ヒンジ片３２の外端付近にボルト孔を開口し、かつ前記上部ヒンジ片３１の対応する外端付近の位置に雌ねじを形成しておき、ヒンジ３を閉じて該下部ヒンジ片３２と上部ヒンジ片３１とを対面状態にさせた際に、該下部ヒンジ片３２のボルト孔からボルト３４を挿入し、該上部ヒンジ片３１の雌ねじに該ボルト３４を螺合して、この実施例の指圧具１を使用する際に、前記腕載せ台２を前記上部指圧軸４１及び下部指圧軸４２と側面から見てＴ字型を保持するように一時固定可能にしておくものとする。
【００９４】
なお、該ヒンジ３の上部ヒンジ片３１と下部ヒンジ片３２とは、一般のそれと全く同様に、相互の対応する端部に配されたヒンジピン３３で起伏回動自在に結合している。
【００９５】
従ってこの実施例の指圧具１によれば、以下のように有効に使用することができる。
【００９６】
まず初めに前記ヒンジ３のヒンジピン３３を中心として前記腕載せ台２を起立回動させ、図１、図３(a)及び図８に示すように、該腕載せ台２を前記上部指圧軸４１及び前記下部指圧軸４２を含む指圧軸に対して直交状態、即ち、側面から見て全体としてＴ字形になった状態にする。次いで、前記ボルト３４を前記下部ヒンジ片３２のボルト孔から挿入し、前記上部ヒンジ片３１の雌ねじに螺合して、以上のＴ字形状態を固定状態にする。
【００９７】
続いて、該腕載せ台２の両側のＬ字型部材２３、２３の間隔を施術者の前腕部Ａの幅に合せて調整する。この調整は、先に述べたように、固定しているボルト・ナットを緩めた上で、該Ｌ字型部材２３、２３を前記基板２０の幅方向に動かし、再度該ボルト・ナットを締め付けることにより行うことができる。また上記のようなＬ字型部材２３、２３の調整動作は、該基板２０及び該Ｌ字型部材２３、２３の各々の取付用のボルト孔が該基板２０の幅方向に長い長孔に形成されているため可能になっている。
【００９８】
この後、該腕載せ台２上に施術者の対応する側の前腕部Ａ、この実施例では右腕前腕部Ａを載せ、図７に示すように、該前腕部Ａの手で該腕載せ台２の先端の握り板２１を握りつつ肘後部を肘固定保護具２５に当接させ、更に、手首を手首台２２の直上付近に配した上で、両側のＬ字型部材２３、２３に取り付けたベルト２４、２４を該前腕部Ａに巻き付け、それぞれに配した面ファスナ２４ａ、２４ａを相互に接合して固定する。
【００９９】
なお、このとき、予め、前記指圧部材９、１０の内からいずれかを選択し、例えば、図１、図３(a)、(b)及び図８に示すように、指圧部材９を、前記したようにして、前記取付部材４８に取り付けておく。以上で指圧操作開始までの準備は完了である。
【０１００】
指圧部材９による指圧操作は次のように行う。
即ち、該指圧部材９の圧接部９１を被指圧者の指圧対象部位Ｓに接触させ、腕載せ台２に適度に体重を掛けて、通常の指圧操作や揉み解しを行う。上記通常の指圧操作は、図５(a)に示すように、前記規制軸６１が降下し、その下端が前記ブッシュ支持体５２ｂの周鍔部の係止孔５２ａに嵌合して、上部指圧軸４１及び下部指圧軸４２の直線状態を保持した上で行う。こうして指圧軸の直線状態を保持して、指圧対象部位Ｓに垂直に圧力を加えることができることになる。
【０１０１】
揉み解しは、前記回転ジョイント４３の屈曲作用を利用して行うのが適当である。この場合は、前記規制軸６１をその下端が前記係止孔５２ａから抜けるまで操作棒６２を利用して引き上げ、該操作棒６２を棒受台６０上に載せてその状態を維持するようにする。こうして、図５(b)、(c)に示すように、前記下部ブッシュ５２は、上部指圧軸４１を支持する上部ブッシュ５１、上蓋７０及びディスク５３を含む構造体上部に対して自由な動きが許容されるようになり、下部指圧軸４２の自由な動きを確保する。そのため、前記のように、被指圧者の対象部位Ｓに圧接部９１を当接させて加圧すると、加圧の方向の微妙な加減で、該下部指圧軸４２は、前記回転ジョイント４３の部位で自在に屈曲し得、有効な揉み解し操作を行うことができる。
【０１０２】
以上の指圧操作及び揉み解し操作中に、施術者は、前記指針４２ａの先端が指し示す目盛り５２ｃの値を読み取ることで、被指圧者の対象部位Ｓに加えている荷重を確認し、より適切な荷重を加えることが可能になる。またこのような操作中に、過度に荷重がかかった場合には、前記可動接点８３が相応するだけ上昇し、前記固定接点８２に接触して前記ＬＥＤ８４を点灯させることになる。こうして過荷重を直ちに知り得、対象部位Ｓに無用に大きな荷重をかけてしまう問題を回避できる。
【０１０３】
なお、前記下部指圧軸４２及び上部指圧軸４１は、前記のように、後退自在に配され、前記弱スプリング４５及び強スプリング４４にょりそれが弾力的に行われるようになっているため、圧接部９１は、前記指圧操作及び揉み解し操作中に、被指圧者の対象部位Ｓに対して弾力的に圧接することとなり、該対象部位Ｓに、急激な荷重を掛ける危険性を回避することができる。
【０１０４】
前記指圧部材９に代えて指圧部材１０１を前記取付部材４８に取り付けた場合も、通常の指圧操作及び揉み解し操作に、殆ど同様に使用することができる。取付方は先に述べた通りである。
【０１０５】
この指圧部材１０を使用して指圧操作又は揉み解し操作を行う場合は、被指圧者の対象部位Ｓに圧接部１０１を当接させ、若干でも荷重をかければ、図６(c)に示すように、直ちに前記シリンダ部材１０４中で摺動軸１０５のピストン部が最上部まで上昇して停止し、先に指圧部材９を用いて行った指圧操作及び揉み解し操作と全く同様にそれらの操作を行うことができることになる。
【０１０６】
他方、この指圧部材１０を使用する場合で、一定の対象部位Ｓで指圧操作等が終了した後その対象部位Ｓから他の対象部位Ｓに移動する場合には、指圧具１を僅かに浮かせるようにすると、図６(a)、(b)に示すように、前記摺動軸１０５のピストン部が前記シリンダ部材１０４中を若干下降することとなり、特にその圧接部１０１を持ち上げたりせず被指圧者に接触させたまま、次の対象部位Ｓまで容易に移動させることができる。前記圧接部１０１は、該摺動軸１０５に偏心状態に取り付けてあるため、このように移動させると、該摺動軸１０５の周りに回転しながら、接触している肌や下着を引っ張るようなことなく、次の対象部位Ｓまで移動することになる。
【０１０７】
指圧や揉み解しの操作が終了した後は、図３(b)に示すように、前記ボルト３４を上部ヒンジ片３１の雌ねじから離脱させ、前記ヒンジピン３３を中心にヒンジ３を開き動作させ、前記腕載せ台２を前記上部指圧軸４１及び前記下部指圧軸４２を含む指圧軸に対して平行な状態に伏動作させる。こうしてこの実施例の指圧具１は全体をＴ字型からＩ字型のコンパクトな形状に折り畳むことが可能であり、持ち運びや収納保管が容易にできることになる。
【０１０８】
以上のように、この実施例の指圧具１によれば、施術者が、適宜、自分の体重を被指圧者に掛けることにより、指先を使わず、長時間でも比較的疲労を少なくして、しかも高度な指圧が可能となる。
【図面の簡単な説明】
【０１０９】
【図１】実施例の指圧具の概略断面図。
【図２】上面のクッション材を省略した実施例の腕載せ台の平面図。
【図３】(a)は実施例の指圧具の腕載せ台を使用状態とした場合の一部切欠概略正面図、 (b)は実施例の指圧具の腕載せ台を非使用状態とした場合の概略正面図。
【図４】(a)は図１に於けるａ−ａ線拡大断面図、(b)は図１に於けるｂ−ｂ線拡大断面図、(c)は図１に於けるｃ−ｃ線拡大断面図。
【図５】(a)は実施例の指圧具の指圧操作状態に於ける概略断面図、(b)は実施例の指圧具の揉み解し操作状態に於ける概略断面図、(c)は実施例の指圧具により揉み解し操作をしている状態の概略断面図。
【図６】(a)は圧接部の軸心と連結部の軸心とが一致しない指圧部材の概略断面図、(b)はその指圧部材を指圧具に装着して指圧対象部位に軽く接触させている状態を示した一部切欠断面図、(c)はその指圧部材を装着して指圧対象部位に指圧操作又は揉み解し操作している状態を示した一部切欠断面図。
【図７】実施例の指圧具を使用している状態を示す概略側面図。
【図８】化粧筒を省略した実施例の指圧具の一部切欠概略斜視図。
【符号の説明】
【０１１０】
１    指圧具
２    腕載せ台
２ａ  クッション材
２０  基板
２１  握り板
２１ａ  突出部
２２  手首台
２３  Ｌ字型部材
２４  ベルト
２４ａ  面ファスナ
２５  肘固定保護具
３    ヒンジ
３１  上部ヒンジ片
３２  下部ヒンジ片
３３  ヒンジピン
３４  ボルト
４１  上部指圧軸
４２  下部指圧軸
４２ａ  指針
４３  回転ジョイント
４４  強スプリング
４５  弱スプリング
４６  消音ラバー
４７  回転ストッパ
４８  取付部材
４８ａ  締付部材
４９  蝶ネジ
５    筒
５１  上部ブッシュ
５１ａ  ブッシュ支持鍔
５２  下部ブッシュ
５２ａ  係止孔
５２ｂ  ブッシュ支持体
５２ｃ  目盛り
５３  ディスク
５４  ゴム管
６    固定軸
６０  棒受台
６１  規制軸
６２  操作棒
７    化粧筒
７０  上蓋
７０ａ  回り止め孔
８１  リチウム電池
８２  固定接点
８３  可動接点
８４  ＬＥＤ
９    指圧部材
９ａ、１０ａ  溝
９１、１０１  圧接部
９２、１０２  芯材
９３、１０３  連結軸
１０  指圧部材
１０４  シリンダ部材
１０５  摺動軸
Ａ    施術者の前腕部
Ｓ    被指圧者の対象部位
【図１】
2007014442.tif 000003
【図２】
2007014442.tif 000004
【図３】
2007014442.tif 000005
【図４】
2007014442.tif 000006
【図５】
2007014442.tif 000007
【図６】
2007014442.tif 000008
【図７】
2007014442.tif 000009
【図８】
2007014442.tif 000010